(57)【要約】【課題】植物組織内に導入する物質が限定されず、導入する物質量を増加させることができ、物質の導入時期をコントロールすることも可能な、植物組織内への物質導入方法を提供すること。【解決手段】側枝を有する植物の組織内へ前記側枝から物質を導入する、植物組織内への物質導入方法であって、前記側枝に存在する葉からの蒸散若しくは前記葉における水要求量を抑制する抑制手段を実施しつつ、前記側枝の通導組織から前記物質を吸収させることを特徴とする方法。【選択図】  図１
2004173536.tif 000002
【特許請求の範囲】
【請求項１】
側枝を有する植物の組織内へ前記側枝から物質を導入する、植物組織内への物質導入方法であって、
前記側枝に存在する葉からの蒸散若しくは前記葉における水要求量を抑制する抑制手段を実施しつつ、前記側枝の通導組織から前記物質を吸収させることを特徴とする方法。
【請求項２】
前記抑制手段が、前記葉の少なくとも１つの除去であることを特徴とする請求項１記載の方法。
【請求項３】
前記抑制手段が、前記葉の少なくとも１つの遮光であることを特徴とする請求項１記載の方法。
【請求項４】
前記抑制手段が、前記葉の気孔の閉口によることを特徴とする請求項１記載の方法。
【請求項５】
前記閉口が、前記葉の組織内への気孔を閉口させる薬物の導入によることを特徴とする請求項４記載の方法。
【請求項６】
前記通導組織を前記側枝の組織の除去により露出させ、露出させた通導組織から前記物質を導入することを特徴とする請求項１〜５のいずれか一項に記載の方法。
【請求項７】
前記通導組織が導管であることを特徴とする請求項１〜６のいずれか一項に記載の方法。
【請求項８】
前記物質が、栄養物質、植物ホルモン、薬物、核酸及び有用微生物からなる群より選ばれる少なくとも１つの物質であることを特徴とする請求項１〜７のいずれか一項に記載の方法。
【請求項９】
前記植物が、双子葉植物であることを特徴とする請求項１〜８のいずれか一項に記載の方法。
【発明の詳細な説明】
【０００１】
【発明の属する技術分野】
本発明は、植物組織内への物質導入方法に関する。
【０００２】
【従来の技術】
植物の栽培においては、植物の生長を促進し、害虫又は病気等の外敵から植物を守るために生長時期及び栄養状態等に合わせて栄養物質、植物ホルモン、薬物等の各種物質を植物に与える必要がある。従来、このような植物の生長調節、害虫等の防除のために、各種物質の土壌散布や葉面散布が行われていた。
【０００３】
図１８は物質の土壌散布を行った場合の、植物の通導組織における物質の通導を示す模式断面図である。同図に示す植物１０は、地中に存在する根５と、根５から地上に伸びる主茎３と、主茎３に生じた葉１及び実７と、を備えており、植物１０内には各組織に水分や栄養を輸送するための通導組織である篩管８及び導管９が存在する。従って、植物１０は、土壌散布を行った物質を水分及び栄養分と共に地中の根５から吸収し、地上の茎３中の通導組織の一つである導管９を通して葉１や実７に輸送する。
【０００４】
一方、図１９は植物への物質の葉面散布を示す模式図である。同図に示す葉面散布は、散布手段３０を用いて植物１０の葉１へ物質を散布するものである。植物は、葉においても水分や栄養分を吸収し、光合成により生じた有機物や吸収した水分及び栄養分は篩管を通して根等の植物組織内に輸送されるが、葉面散布は、このように植物が根だけでなく葉からも水分及び栄養分を吸収する機能を活用するものである。
【０００５】
植物本来の上記機能以外の手段により、物質を植物組織に導入する方法としては、特開平９−２７８６２０号公報（特許文献１）に開示された細菌の導入方法があり、この方法においては注射針、芽かき、葉かき等の器具を用いて植物組織内に強制的に特定の細菌を導入する。
【０００６】
【特許文献１】
特開平９−２７８６２０号公報
【０００７】
【発明が解決しようとする課題】
しかしながら、上記従来技術の方法では、植物の表面細胞による組織内への物質吸収の選択性のために導入する物質が限定され、物質の導入量が少なく、導入速度が遅いという問題があった。また、特に葉面散布においては散布した物質が葉に付着するため葉への光の到達を妨げ、葉の吸収光量が減少する不都合があり、葉以外の部分（例えば、果実）に各種物質が散布された場合にその部分に薬害が生じる虞があった。更に、一度散布した物質は植物表面及び土壌等の環境中に残留し、物質の導入を中止したい場合でも物質の導入が継続する問題があった。
【０００８】
本発明は、上記問題点に鑑みてなされたものであり、植物組織内に導入する物質が限定されず、導入する物質量を増加させることができ、物質の導入時期をコントロールすることも可能な、植物組織内への物質導入方法を提供することを目的とする。
【０００９】
【課題を解決するための手段】
本発明者らは、ポジトロン放出核種を用い植物組織内での物質の移動を観察するに際し、カットした葉の先端から物質を植物の組織内に導入する従来の方法に代えて、側枝から伸びている全ての葉を除去し、除去した部分から物質導入を行ったところ、多量の物質を速やかに植物組織内へ導入できるという知見を得た。
【００１０】
本発明の植物組織内への物質導入方法は係る知見に基づくものであり、側枝を有する植物の組織内へ前記側枝から物質を導入する、植物組織内への物質導入方法であって、上記側枝に存在する葉からの蒸散若しくは当該葉における水要求量を抑制する抑制手段を実施しつつ、上記側枝の通導組織から上記物質を吸収させることを特徴とする方法を提供するものである。
【００１１】
上記抑制手段としては、（１）葉の少なくとも１つの除去、（２）葉の少なくとも１つの遮光、及び（３）葉の気孔の閉口が挙げられ、（３）は例えば、葉の組織内へ気孔を閉口させる薬物を導入することにより可能となる。
【００１２】
本発明の方法においては、通導組織を側枝の組織の除去により露出させ、この露出させた通導組織から上記物質を導入することが好ましく、上記通導組織は導管であることが好ましい。このように通導組織を側枝の組織の除去により露出させることにより、通導組織の細胞と物質とを直接接触させることができ、物質の導入を確実に、また多量に行うことが可能となる。
【００１３】
上記本発明の方法においては、上記物質が、栄養物質、植物ホルモン、薬物、核酸及び有用微生物からなる群より選ばれる少なくとも１つの物質であることが好ましく、植物は双子葉植物であることが好ましい。
【００１４】
【発明の実施の形態】
以下、添付図面を参照して、本発明の植物への物質導入方法の好適な実施形態について詳細に説明する。なお、同一の要素には同一の符号を付し、重複する説明は省略する。
【００１５】
本発明が適用できる植物は任意であるが、双子葉植物であることが好ましく、施設栽培作物または果樹作物がより好ましい。双子葉植物としては、草本性および木本性の双子葉植物が挙げられる。
【００１６】
施設栽培作物としては、ナス、トマト等のナス科；キュウリ、メロン、カボチャ等のウリ科；ブドウ等のブドウ科；モモ、リンゴ、ナシ、ビワ、モモ、ウメ、サクラ（サクランボ）等のバラ科；マメ科、シソ科、リンドウ科、キク科、セリ科、マタタビ科等の作物が挙げられる。果樹作物としては、前述したブドウ科、バラ科の落葉性果樹以外に、ライム、レモン、ミカン、ダイダイ、カボス、キンカン、カラタチ等のカンキツ類等が挙げられる。
【００１７】
ホウ素カルシウム、マグネシウム等の栄養分の要求量が高い作物（例えばトマト）は、定植から結実までの生長の激しい時期に集中して生長に必要な物質を与えることが重要であり、物質の導入量又は導入時期等の要因は収穫物の大きさ、品質及び収穫量に大きな影響を与えることから、本発明の方法はこのような作物に対して非常に有効である。
【００１８】
植物に導入される物質としては、栄養物質、植物ホルモン、薬物、核酸及び有用微生物からなる群より選ばれる少なくとも１つの物質であることが好ましい。
【００１９】
栄養物質としては、窒素化合物（硝酸、アンモニア、グルタミン酸、アスパラギン酸、アミド態窒素、ウレイド態窒素等）、糖類（スクロース、グルコース、デンプン等）、アミノ酸（グリシン、アラニン、バリン、ロイシン、イソロイシン、プロリン、セリン、システイン、メチオニン、アスパラギン、グルタミン、ヒスチジン、トリプトファン等）、ビタミン（ビタミンＢ６塩酸塩、ビタミンＢ１塩酸塩等）、抗生物質、その他必須元素及びそれを含む化合物（リン、カリウム、カルシウム、マグネシウム、硫黄、鉄、マンガン、銅、亜鉛、モリブデン、ホウ素、塩素、珪素、ナトリウム、コバルト、ニッケル、アルミニウム、セレン、ニコチン酸、イノシトール等）等が挙げられる。
【００２０】
植物ホルモンとしては、オーキシン、サイトカイニン、ジベレリン、エチレン、アブシジン酸、ブラシノステロイド、ジャスモン酸等が挙げられ、薬物としては、防疫剤、抗ウィルス剤、殺菌剤、誘引・忌避剤、植物成長調整剤（エチレン剤，オーキシン剤，サイトカイニン剤，ジベレリン剤，オーキシン拮抗剤，ジベレリン生合成阻害剤等）等が挙げられる。また、核酸としては、ＲＮＡ、ＤＮＡ等が挙げられ、有用微生物としては土壌病害対策用微生物（シュードモナス属細菌）又はフザリウム属、アクチノマデュラ属、ストレプトミセス属、エンテロバクター属、アシネトバクター属、バチルス属、ペエシロマイセス属、エルベニア属、セラチア属及びトリコデルマ属等の細菌が挙げられる。
【００２１】
上記物質は、上記植物の側枝の通導組織から植物の組織内へと導入される。ここで、植物の組織内とは、植物の生体内部（例えば、表皮系内部、基本組織系内部、維管束系内部）をいう。また、通導組織とは、植物の組織内における水分や養分の通導を行う組織をいい、導管及び篩管が含まれる。
【００２２】
蒸散の抑制手段としては、まず、側枝に存在する葉の少なくとも１つの除去が挙げられる。図１は側枝に存在する葉を除去した状態で側枝の通導組織から物質が導入される植物の模式図である。図２は図１のＡで示す部分の拡大図である。図１に示す植物１０は、地中に存在する根５と、根５から地上に伸びる主茎３と、主茎３から分岐した側枝２ａ、２ｂと、側枝２ａ、２ｂに生じた葉１及び実７と、を備えており、植物１０内には篩管８及び導管９からなる通導組織１１が存在し、これらは各組織に水分や栄養を輸送する機能を有する。なお、側枝２ａは蒸散の抑制手段が施された側枝であり、側枝２ｂは抑制手段が施されていない側枝である。また、側枝２ｃは側枝２ａから分岐した側枝である。
【００２３】
図１及び２では、側枝２ａにおいて、葉１の全てが除去されており、側枝２ｃが物質２０と接触している。また、図２に詳細に示されるように、側枝２ｃ中には通導組織１１（篩管８及び導管９からなる。）が存在し、側枝２ｃの末端において通導組織１１が露出している。そして、側枝２ｃは物質２０中に挿入され、露出した通導組織１１と物質２０とが接触するようになっている。
【００２４】
図１及び２に示す植物１０においては葉１を除去したことにより、側枝２ａにおいて、主茎３から側枝２ａ方向へ向かう植物本来の導管９中の物質移動が制限され、側枝２ｂに存在する葉１からの蒸散に基づく駆動力により、側枝２ａから主茎３へ向かう物質の流れが発現する（図１及び２における実線矢印）。この流れによって、露出した導管９から物質２０が吸収される。また、篩管８中の物質移動は本来側枝２ａから主茎３の方へ向かうものであるため、篩管によっても物質２０が側枝２ａから主茎３方向へ移動する。従って、上記本発明の方法を採用することにより、物質２０が確実に且つ高い導入量で植物１０の組織内に取り込まれる。
【００２５】
また、物質２０は通導組織１１への直接的な導入であり、根や葉から吸収させる場合のように細胞膜を介しての導入でないため、導入する物質が限定されない。更に、上記方法によれば土壌への物質２０の残存の問題がなく、側枝２ｃと物質２０との接触時間を制御することや導管の流れの向きを制御することで物質の導入時期をコントロールすることも可能となる。また、導入部位は任意に選択でき、物質を導入したい部位に導入量を制御しつつ速やかに物質の導入を行うことが可能となる。そして、葉１が物質２０で覆われないため吸収光量を高くすることができる。
【００２６】
上記抑制手段は作業が簡便であり、葉の除去により蒸散を受けもつ気孔が除かれるため蒸散の抑制を確実に行うことができる。上記抑制手段を用いる場合において、側枝の葉は全てを除去してもよく、葉の一部のみを除去してもよい。そして葉の除去は、手で行うことも裁断器具又は切断器具等で行うこともできる。
【００２７】
蒸散の抑制手段としては、次に、側枝に存在する葉の少なくとも１つの遮光が挙げられる。図３は、側枝に存在する葉を遮光した状態で側枝の通導組織から物質が導入される植物を示す模式図である。同図に示す植物１０は、主茎３と、主茎３から分岐した側枝２ａ、２ｂと、側枝２ａ、２ｂに生じた葉１と、を備えており、側枝２ａに存在する葉１は遮光材４０で遮光され、葉１の除去で生じた側枝２ｃは物質２０と接触している。
【００２８】
このような葉の遮光により、葉で行われている光合成が抑制されて葉での水要求量が減少し、また気孔の閉口により気孔における水分の蒸散が抑えられる結果、主茎３から側枝２ａ方向へ向かう植物本来の物質移動が制限され、側枝２ｂに存在する葉１からの蒸散に基づく駆動力により、主茎３への吸引力が働き、側枝２ａから主茎３へ向かう物質の流れが発現する。この流れによって物質２０が側枝２ｃにおける通導組織から吸収される。従って、上記本発明の方法を採用することにより、物質２０が確実に且つ高い導入量で植物１０の組織内に取り込まれる。
【００２９】
また、上記方法によれば植物の組織を破壊することなく蒸散制御に伴う導管の流れる方向を制御できることから、一度物質を吸収させた吸収部位（側枝２ｃ）から長期にわたって断続的に物質の導入を行うことが可能となり、植物の状態を良好に保つことが可能となる。
【００３０】
なお、遮光材４０としては、寒冷紗等の農業用基布、ポリネット、織布、不織布、アルミホイル、黒色ポリエチレンシート、黒色ビニルシート等を用いることが可能であり、遮光材４０を葉に巻きつけたり、貼り付けたりして葉を覆い遮光することが可能である。
【００３１】
蒸散の抑制手段としては、次に、側枝に存在する葉の気孔の薬物による閉口が挙げられる。図４は、側枝に存在する葉に気孔を閉口させる薬物を付着させた状態で側枝の通導組織から物質が導入される植物を示す模式図である。同図に示す植物１０は、主茎３と、主茎３から分岐した側枝２ａ、２ｂと、側枝２ａ、２ｂ上に生じた葉１と、を備えている。そして、側枝２ａに存在する葉１には、気孔を閉口させる薬物５０が塗布されており、葉１の除去で生じた側枝２ｃは物質２０と接触している。ここで、薬物５０としては、アブシジン酸等の植物ホルモンが用いられる。
【００３２】
このような気孔の閉口により、気孔からの水分の蒸散が抑えられる結果、上記と同様に、側枝２ｂに存在する葉１からの蒸散に基づく主茎３による吸引駆動力により、側枝２ａから主茎３へ向かう物質の流れが発現する。そして、この流れによって物質２０が側枝２ｃにおける通導組織から吸収されるため、物質２０が確実に且つ高い導入量で植物１０の組織内に取り込まれる。
【００３３】
本発明の植物組織内への物質導入方法においては、通導組織を側枝の組織の除去により露出させ、露出させた通導組織から物質を導入することが好ましく、通導組織は導管であることが好ましい。
【００３４】
通導組織の露出は、葉を除去する方法、裁断器具若しくは切断器具等の器具で側枝の一部を切り取る方法、又は同様の器具で側枝の一部を削り取る方法により実施できる。このような組織の除去は、側枝の先端部分の葉に対して行うことが好ましい。また、葉はその一部を除去してもよく、全てを除去してもよい。そして、葉を除去するに当っては水切りを行うことが好ましい。
【００３５】
物質の吸収は上述のように導管及び篩管で生じると考えられるが（導管における吸収が主であると考えられる）、篩管と導管との間には木部からの側方移動を生じさせる特殊な転送細胞が存在することから、導管から吸収された物質が転送細胞を介して篩管に移動し、篩管を通って植物組織に取り込まれる場合もある。
【００３６】
なお、吸収させる物質は、常温で固体状の物質でも液体状の物質でもよいが、固体状の物質については、溶媒に溶解又は分散させる等して、少なくとも吸収時には液体状にすることが好ましい。物質が液体状である場合は、乳剤、液剤、油剤等の製剤の形状で用いることが可能である。また、これら以外にも、エアゾル、塗布剤、軟膏、ゾルの形状でも用いることが可能であり、織布、不織布等に物質を染み込ませて、それと通導組織を接触させてもよい。
【００３７】
本発明の方法により、植物の組織内へ導入された物質の導入量、導入速度及び導入部位に関する情報は、例えば、ポジトロンイメージング装置により得ることができる。ポジトロンイメージング装置は、ポジトロンを放出するＲＩで標識された物質を生体にトレーサとして導入し、ＲＩ物質から放出されたポジトロンが通常物質中の電子と対消滅して生成される一対のγ線を計測することによって、測定対象の情報を得るものである（例えば、特開平９−３３６５８号公報参照）。
【００３８】
図５は、ポジトロンイメージング装置の基本構成を示す図である。同図に示す装置は、１対の２次元放射線検出器６０及び７０を備えており、２次元放射線検出器６０、７０は、それぞれ複数のシンチレータからなるシンチレータアレイ６１、７１と、シンチレータアレイ６１、７１にγ線が入射することによって発生したシンチレーション光を検出するための光検出器６２、７２とから構成されている。放射線検出器６０、７０は、シンチレータアレイ６１、７１の放射線入射面同士が対向するように、それぞれ検出器ケース６５、７５に格納された状態で配置されている。
【００３９】
この構成において、放射線検出器６０、７０に挟まれた所定の測定面Ｓに配置された測定対象Ｂ（本発明においては植物）から放出された一対のγ線は、放射線検出器６０、７０によってそれぞれ検出される。そしてその検出信号は、検出信号を増幅するアンプ回路等を有して付設された回路系６３、７３を介して出力される。出力された検出信号は信号処理回路８０に入力され、信号処理回路８０は２つの放射線検出器６０、７０からの検出信号に基づいて同時計数による電子・陽電子対消滅イベントの特定、及び対消滅の発生位置の算出等を行う。
【００４０】
【実施例】
以下、本発明を実施例により更に詳細に説明するが、本発明はこれらに限定されるものではない。
【００４１】
［葉の除去による物質導入］
（比較例１）
実験植物として、発芽後約４週間のトマト（品種名：メリーロード）を用いた。主茎の下から６番目の側枝の先端部の葉を除去後、その先端部を水切りすることにより吸収部位（通導組織が露出した側枝）とした。図６は、実験に用いたトマトの主茎３及び側枝２の配置を示す模式図であり、図６において左側に伸びる側枝２の末端に吸収部位が存在する。
【００４２】
まず、１１Ｃでラベルした硝酸を含む水溶液を吸収部位から吸収させて、その硝酸の側枝及び主茎内部での動き並びに導入量を、図５に示す基本構成と同様の構成を備えたポジトロンイメージング装置（浜松ホトニクス社製、ＩＰＳ−１０００）にて１時間観察した。図７は、ポジトロンイメージング装置により得られた積算イメージであり、図６の主茎及び側枝の位置に対応した位置に積算イメージを表してある。
【００４３】
（実施例１）
次に、比較例１で用いたトマトについて、物質を吸収させた側枝２の全て葉を除去した。そして、葉の除去による蒸散抑制効果を観察するため、比較例１と同様にして１１Ｃでラベルした硝酸を含む水溶液を吸収させて、比較例１と同様にして積算イメージを得た。図８は、上記ポジトロンイメージング装置により得られた積算イメージであり、図６の主茎及び側枝の位置に対応した位置に積算イメージを表してある。
【００４４】
図７及び８の積算イメージに示すように側枝に葉が存在し蒸散が抑制されていない比較例１の側枝では、導管における物質の流れが主茎から側枝方向に向かっているため、物質のほとんどが篩管へと導入され、これを反映して主茎ではほとんどの物質が下方へ移行している。一方、葉が除去された実施例１の側枝では、導管における物質の流れが側枝から主茎方向に向かっているため、物質が篩管に加え導管へも導入された。また、主茎では他の側枝における蒸散の駆動力による流れに従い上方への移行が確認された。更に、図７及び８の積算イメージにより、植物内に導入される物質量は、蒸散が抑制されている実施例１の方が多いことが確認され、篩管のみでの物質の導入量は少ないことが確認された。
【００４５】
吸収部位を有する側枝と主茎の分岐点である節部におけるＲＩ集積量（硝酸吸収量）の経時変化のグラフを図９に示す。この結果からも、側枝に葉が存在せず蒸散が抑制されている実施例１の側枝の方が物質の導入量が２倍以上多いこと、つまり篩管経由単独よりも導管経由が加わった方が導入量が多いこと、及び篩管経由よりも導管経由の方が導入量が多いことが確認された。
【００４６】
［葉の遮光による物質導入］
（実施例２）
実施例１と異なるトマト（同一品種だが個体が異なる）を用い、主茎の下から６番目の側枝の先端部の葉を実施例１と同様に除去し、比較例１と同様に水切りし吸収部位とした。また、その側枝の他の葉は蒸散を抑制するため、アルミホイルで覆い遮光した。図１０は、実験に用いたトマトの主茎３及び側枝２の配置を示す模式図であり、図１０において左側に伸びる側枝２のうちの上側の側枝２の末端に吸収部位が存在する。葉の遮光による蒸散抑制効果を観察するため、１１Ｃでラベルした硝酸を含む水溶液を吸収部位から吸収させ、実施例１と同様にして積算イメージを得た。図１１は、ポジトロンイメージング装置により得られた積算イメージであり、図１０の主茎及び側枝の位置に対応した位置に積算イメージを表してある。
【００４７】
（比較例２）
次に、実施例２と同じトマトを用い、物質を吸収させた側枝の葉から覆いを外した。そして、葉の遮光なしでの条件での物質の導入を観察するため、実施例２と同様にして１１Ｃでラベルした硝酸を含む水溶液を吸収させて、実施例２と同様にして積算イメージを得た。図１２は、ポジトロンイメージング装置により得られた積算イメージであり、図１０の主茎及び側枝の位置に対応した位置に積算イメージを表してある。
【００４８】
図１１及び１２の積算イメージに示すように側枝の葉が遮光されず蒸散が抑制されていない比較例２の側枝では、物質があまり導入されていないことが図１２から確認された。一方、側枝の葉が遮光され蒸散が抑制されている実施例２の側枝では、側枝２の導管の流れが葉から主茎方向へ向かっているため、物質が導管へも導入され、主茎では他の側枝における蒸散の駆動力による流れに従い上方へ移行が生じていることが図１１から確認された。更に、図１１及び１２の積算イメージにより、植物内に導入される物質量は、蒸散が抑制されている実施例２の側枝の方が多く、篩管のみでの物質の導入量は少ないことが確認された。
【００４９】
吸収部位を有する側枝と主茎の分岐点である節部におけるＲＩ集積量の経時変化のグラフを図１３に示す。この結果からも、側枝の葉が遮光され蒸散が抑制されている実施例２の側枝においては、物質の導入量が２倍以上多いこと、つまり篩管経由単独よりも導管経由が加わった方が導入量が多いこと、及び篩管経由よりも導管経由の方が導入量が多いことが確認された。
【００５０】
［加熱処理による導管のみへの物質導入］
（実施例３）
実施例１と異なるトマト（同一品種だが個体が異なる）を用い、主茎の下から８番目の側枝の先端部の葉を実施例１と同様に除去し、実施例１と同様に水切りして吸収部位とした。また、上記側枝に存在する他の葉を実施例１と同様に除去した。図１４は、実験に用いたトマトの主茎３及び側枝２の配置を示す模式図であり、図１４において右側に伸びる側枝２のうち中段の側枝２の末端に吸収部位が存在する。実施例１と同様にして１１Ｃでラベルした硝酸を含む水溶液を吸収させて、実施例１と同様にして積算イメージを得た。図１５は、ポジトロンイメージング装置により得られた積算イメージであり、図１４の主茎及び側枝の位置に対応した位置に積算イメージを表してある。
【００５１】
（実施例４）
次に、側枝２の篩管の輸送機能を消滅させ導管経路の輸送機能のみを有効にするため、実施例３に用いたトマトを用い、物質を吸収させた側枝の一部を帯状（リング状）に１００℃程度で加熱した。
【００５２】
加熱により篩管はその輸送機能が消滅し、導管の輸送機能のみが有効となった。この導管の輸送機能のみによる効果を観察するため、実施例３と同様にして１１Ｃでラベルした硝酸を含む水溶液を吸収させて、実施例３と同様にして積算イメージを得た。図１６は、ポジトロンイメージング装置により得られた積算イメージであり、図１４の主茎及び側枝の位置に対応した位置に積算イメージを表してある。
【００５３】
図１５及び１６の積算イメージに示すように、実施例４で得られた篩管が死滅している側枝の積算イメージからも物質が植物内に導入されていることから、植物内への物質の導入が導管により行われていることが確認された。
【００５４】
吸収部位を有する側枝と主茎の分岐点である節部におけるＲＩ集積量の経時変化のグラフを図１７に示す。この結果から、図９や図１３と異なり導管経由より篩管経由の方が導入量が多いことになるが、篩管機能消滅処理の影響が導管の流れへも及んでしまったことによるものと考えられる。
【００５５】
【発明の効果】
以上示したとおり、本発明の植物への物質導入方法によれば、導入する物質が限定されることなく、植物組織内に比較的多量の物質を導入することができ、物質の導入時期をコントロールすることも可能となる。また、導入部位は任意に選択でき、物質を導入したい部位に導入量を制御しつつ速やかに物質の導入を行うことが可能となる。更に、葉面散布のように吸収部位を有する側枝以外の葉に物質が付着することがないため吸収光量を十分に維持させることができ、土壌中に物質が残留することがないため環境に好ましく、比較的多量の物質を短時間に導入することが可能となる。このような本発明の方法は、トマトのように必要な時期に比較的多量の物質を導入させる必要がある植物の場合には、特に有効である。
【図面の簡単な説明】
【図１】側枝に存在する葉を除去した状態で側枝の通導組織から物質が導入される植物の模式図である。
【図２】図１のＡで示す部分の拡大図である。
【図３】側枝に存在する葉を遮光した状態で側枝の通導組織から物質が導入される植物を示す模式図である。
【図４】側枝に存在する葉に気孔を閉口させる薬物を付着させた状態で側枝の通導組織から物質が導入される植物を示す模式図である。
【図５】ポジトロンイメージング装置の基本構成を示す図である。
【図６】実施例１及び比較例１に用いたトマトの主茎３及び側枝２の配置を示す模式図である。
【図７】比較例１におけるポジトロンイメージング装置により得られた積算イメージである。
【図８】実施例１におけるポジトロンイメージング装置により得られた積算イメージである。
【図９】比較例１及び実施例１における節部の硝酸吸収量の経時変化を示すグラフである。
【図１０】実施例２及び比較例２に用いたトマトの主茎３及び側枝２の配置を示す模式図である。
【図１１】実施例２におけるポジトロンイメージング装置により得られた積算イメージである。
【図１２】比較例２におけるポジトロンイメージング装置により得られた積算イメージである。
【図１３】比較例２及び実施例２における節部の硝酸吸収量の経時変化を示すグラフである。
【図１４】実施例３及び実施例４に用いたトマトの主茎３及び側枝２の配置を示す模式図である。
【図１５】実施例３におけるポジトロンイメージング装置により得られた積算イメージである。
【図１６】実施例４におけるポジトロンイメージング装置により得られた積算イメージである。
【図１７】実施例３及び実施例４における節部の硝酸吸収量の経時変化を示すグラフである。
【図１８】通導組織における物質の通導を示す模式断面図である。
【図１９】植物への物質の葉面散布を示す模式図である。
【符号の説明】
１・・・葉、２，２ａ，２ｂ，２ｃ・・・側枝、３・・・主茎、５・・・根、７・・・実、８・・・篩管、９・・・導管、２０・・・物質、３０・・・散布手段、４０・・・遮光材、５０…薬物、６０，７０…放射線検出器、６１，７１…シンチレータアレイ、６２，７２…光検出器、６３，７３…回路系、８０…信号処理回路。
【図１】
2004173536.tif 000003
【図２】
2004173536.tif 000004
【図３】
2004173536.tif 000005
【図４】
2004173536.tif 000006
【図５】
2004173536.tif 000007
【図６】
2004173536.tif 000008
【図７】
2004173536.tif 000009
【図８】
2004173536.tif 000010
【図９】
2004173536.tif 000011
【図１０】
2004173536.tif 000012
【図１１】
2004173536.tif 000013
【図１２】
2004173536.tif 000014
【図１３】
2004173536.tif 000015
【図１４】
2004173536.tif 000016
【図１５】
2004173536.tif 000017
【図１６】
2004173536.tif 000018
【図１７】
2004173536.tif 000019
【図１８】
2004173536.tif 000020
【図１９】
2004173536.tif 000021